(57)【特許請求の範囲】
【請求項１】
紙幣を識別して紙幣番号情報を取得する識別部、前記識別部により識別された紙幣を集積する集積部、識別された紙幣を集積部へ搬送する搬送部、取得された紙幣番号情報を送信する通信部、及び紙幣の搬送を制御する制御部を備える紙幣処理装置と、
前記紙幣処理装置から送信された紙幣番号情報と、記憶装置に記憶されている複数の紙幣番号情報とを照合し、照合結果が一致した紙幣番号情報を前記紙幣処理装置へ送信する管理装置と、
を備え、
前記制御部は、前記通信部が前記管理装置から紙幣番号情報を受信している場合、前記識別部により識別された紙幣番号情報と、前記通信部が受信した紙幣番号情報とを照合し、照合結果に応じて紙幣の搬送を制御することを特徴とする紙幣処理システム。
【請求項２】
前記集積部が複数設けられており、
前記制御部は、照合結果が一致する紙幣を、照合結果が一致しない紙幣とは異なる集積部へ搬送させることを特徴とする請求項１に記載の紙幣処理システム。
【請求項３】
前記制御部は、照合結果が一致した場合に、紙幣の搬送を停止させることを特徴とする請求項１に記載の紙幣処理システム。
【請求項４】
第１分類モードと第２分類モードとを切り替えて設定するモード切替部をさらに備え、  前記集積部が複数設けられており、
前記識別部は、紙幣の金種、正損、表裏、及び方向のうち少なくともいずれか１つを識別し、
前記制御部は、前記第１分類モードが設定されている場合は、前記識別部の識別結果及び第１分類基準に基づいて紙幣の搬送先を決定し、前記第２分類モードが設定されている場合は、前記識別部の識別結果、前記第１分類基準とは異なる第２分類基準、及び前記照合結果に基づいて紙幣の搬送先を決定することを特徴とする請求項１に記載の紙幣処理システム。
【請求項５】
前記識別部により取得された紙幣番号情報と紙幣の搬送先とを関連付けて記憶する記憶部をさらに備え、
前記集積部が複数設けられており、
前記制御部は、前記通信部が受信した紙幣番号情報と、前記記憶部に記憶されている紙幣番号情報とを照合し、照合結果が一致した紙幣が集積されている集積部を特定し、特定した集積部を通知することを特徴とする請求項１に記載の紙幣処理システム。
【請求項６】
各集積部に対応して設けられた複数の表示部をさらに備え、
前記制御部は、特定した集積部に対応する表示部に所定の情報を表示することを特徴とする請求項５に記載の紙幣処理システム。
【請求項７】
紙幣を識別して紙幣番号情報を取得する第１識別部、前記第１識別部により識別された紙幣を集積する第１集積部、識別された紙幣を第１集積部へ搬送する第１搬送部、取得された紙幣番号情報を送信する送信部、及び紙幣の搬送を制御する第１制御部を備える第１紙幣処理装置と、
前記第１紙幣処理装置から送信された紙幣番号情報と、記憶装置に記憶されている複数の紙幣番号情報とを照合し、照合結果が一致した紙幣番号情報を送信する管理装置と、
紙幣を識別して紙幣番号情報を取得する第２識別部、前記第２識別部により識別された紙幣を集積する第２集積部、識別された紙幣を第２集積部へ搬送する第２搬送部、前記管理装置から送信された紙幣番号情報を受信する受信部、及び前記第２識別部により取得された紙幣番号情報と、前記受信部が受信した紙幣番号情報とを照合し、照合結果に応じて紙幣の搬送を制御する第２制御部を備える第２紙幣処理装置と、
を備える紙幣処理システム。
【請求項８】
前記第２集積部は複数設けられており、
前記第２制御部は、照合結果が一致する紙幣を、照合結果が一致しない紙幣とは異なる第２集積部へ搬送させることを特徴とする請求項７に記載の紙幣処理システム。
【請求項９】
前記第２制御部は、照合結果が一致した場合に、紙幣の搬送を停止させることを特徴とする請求項７に記載の紙幣処理システム。
【請求項１０】
紙幣を識別して紙幣番号情報を取得する識別部と、
前記識別部により識別された紙幣を集積する集積部と、
識別された紙幣を前記集積部へ搬送する搬送部と、
取得された紙幣番号情報を送信し、紙幣番号情報の送信後、送信した紙幣番号情報に含まれる少なくとも１つの紙幣番号情報を受信する通信部と、
紙幣の搬送を制御する制御部と、
を備え、
前記制御部は、前記通信部が紙幣番号情報を受信している場合、前記識別部により取得された紙幣番号情報と、前記通信部が受信した紙幣番号情報とを照合し、照合結果に応じて紙幣の搬送を制御することを特徴とする紙幣処理装置。
【請求項１１】
前記集積部は複数設けられており、
前記制御部は、照合結果が一致する紙幣を、照合結果が一致しない紙幣とは異なる集積部へ搬送させることを特徴とする請求項１０に記載の紙幣処理装置。
【請求項１２】
前記制御部は、照合結果が一致した場合に、紙幣の搬送を停止させることを特徴とする請求項１０に記載の紙幣処理装置。
【請求項１３】
第１分類モードと第２分類モードとを切り替えて設定するモード切替部をさらに備え、  前記集積部は複数設けられており、
前記識別部は、紙幣の金種、正損、表裏、及び方向のうち少なくともいずれか１つを識別し、
前記制御部は、前記第１分類モードが設定されている場合は、前記識別部の識別結果及び第１分類基準に基づいて紙幣の搬送先を決定し、前記第２分類モードが設定されている場合は、前記識別部の識別結果、前記第１分類基準とは異なる第２分類基準、及び前記照合結果に基づいて紙幣の搬送先を決定することを特徴とする請求項１０に記載の紙幣処理装置。
【請求項１４】
前記識別部により取得された紙幣番号情報と紙幣の搬送先とを関連付けて記憶する記憶部をさらに備え、
前記集積部は複数設けられており、
前記制御部は、前記通信部が受信した紙幣番号情報と、前記記憶部に記憶されている紙幣番号情報とを照合し、照合結果が一致した紙幣が集積されている集積部を特定し、特定した集積部を通知することを特徴とする請求項１０に記載の紙幣処理装置。
【請求項１５】
各集積部に対応して設けられた複数の表示部をさらに備え、
前記制御部は、特定した集積部に対応する表示部に所定の情報を表示することを特徴とする請求項１４に記載の紙幣処理装置。
【請求項１６】
紙幣処理装置の識別部が、紙幣を識別して紙幣番号情報を取得する第１識別工程と、
前記第１識別工程において識別された紙幣を紙幣処理装置の集積部に集積する集積工程と、
管理装置が、前記第１識別工程において識別された紙幣番号情報と、記憶装置に記憶されている複数の紙幣番号情報とを照合する第１照合工程と、
紙幣処理装置の識別部が、前記集積部に集積されている紙幣の紙幣番号情報を取得する第２識別工程と、
紙幣処理装置の制御部が、前記第２識別工程において取得された紙幣番号情報と、前記第１照合工程における照合結果が一致した紙幣番号情報とを照合する第２照合工程と、
前記第２照合工程における照合結果に応じて紙幣の搬送を制御する搬送制御工程と、
を備える紙幣処理方法。
【請求項１７】
前記紙幣処理装置には集積部が複数設けられており、
前記搬送制御工程では、前記第２照合工程における照合結果が一致した紙幣と、一致しない紙幣とを紙幣処理装置の異なる集積部へ搬送することを特徴とする請求項１６に記載の紙幣処理方法。
【請求項１８】
前記搬送制御工程では、前記第２照合工程における照合結果が一致した場合に、紙幣の搬送を停止させることを特徴とする請求項１６に記載の紙幣処理方法。
【請求項１９】
前記第１識別工程及び前記集積工程が行われる紙幣処理装置と、前記第２識別工程、前記第２照合工程、及び前記搬送制御工程が行われる紙幣処理装置は異なることを特徴とする請求項１６乃至１８のいずれかに記載の紙幣処理方法。
【発明の詳細な説明】
【技術分野】
【０００１】
本発明は、紙幣処理装置、紙幣処理システム、及び紙幣処理方法に関する。
【背景技術】
【０００２】
自動取引装置（ＡＴＭ）や紙幣処理装置では、投入された紙幣の金種、真偽、正損等が識別されている。また、特許文献１には、犯罪等で使用された対象紙幣の紙幣番号を記憶装置に記憶しておき、投入された紙幣から紙幣番号を読み取り、読み取った紙幣番号と記憶装置に記憶している紙幣番号とを照合し、照合結果が一致しない紙幣を通常金庫に収納し、照合結果が一致した紙幣を特定金庫に収納する自動取引装置が開示されている。
【０００３】
このように、従来は、読み取った紙幣番号と、記憶装置に記憶されている紙幣番号との照合結果に応じて、取り込んだ紙幣の収納先（搬送先）を切り替えていた。しかし、記憶装置に膨大な数の紙幣番号が記憶されている場合、読み取った紙幣番号との照合に時間がかかり、紙幣の取り込み速度に追いつかず、取り込み紙幣の収納先（搬送先）の切り替えができずに、照合結果が一致した紙幣と一致しなかった紙幣とが混在していた。照合結果が一致した紙幣がある場合は、後で、手作業で選別することになり、手間がかかるという問題があった。
【先行技術文献】
【特許文献】
【０００４】
【特許文献１】特開平１１−４５３６５号公報
【発明の概要】
【発明が解決しようとする課題】
【０００５】
本発明はこのような点を考慮してなされたものであり、データベースに記録されている紙幣番号と同じ紙幣番号を持つ紙幣を速やかに選別することができる紙幣処理装置、紙幣処理システム、及び紙幣処理方法を提供することを目的とする。
【課題を解決するための手段】
【０００６】
本発明の一態様による紙幣処理システムは、紙幣を識別して紙幣番号情報を取得する識別部、前記識別部により識別された紙幣を集積する集積部、識別された紙幣を集積部へ搬送する搬送部、取得された紙幣番号情報を送信する通信部、及び紙幣の搬送を制御する制御部を備える紙幣処理装置と、前記紙幣処理装置から送信された紙幣番号情報と、記憶装置に記憶されている複数の紙幣番号情報とを照合し、照合結果が一致した紙幣番号情報を前記紙幣処理装置へ送信する管理装置と、を備え、前記制御部は、前記通信部が前記管理装置から紙幣番号情報を受信している場合、前記識別部により識別された紙幣番号情報と、前記通信部が受信した紙幣番号情報とを照合し、照合結果に応じて紙幣の搬送を制御することを特徴とする。
【０００７】
紙幣番号情報は、紙幣に付与された紙幣番号に関する情報で、紙幣に印刷された紙幣番号を含むイメージ情報や、紙幣から読み取った紙幣番号のテキストデータなどを含み、紙幣に付与された紙幣番号の一部に関する情報も含む。
【０００８】
本発明の一態様による紙幣処理システムは、前記集積部が複数設けられており、前記制御部は、照合結果が一致する紙幣を、照合結果が一致しない紙幣とは異なる集積部へ搬送させることを特徴とする。
【０００９】
本発明の一態様による紙幣処理システムは、前記制御部は、照合結果が一致した場合に、紙幣の搬送を停止させることを特徴とする。
【００１０】
本発明の一態様による紙幣処理システムは、第１分類モードと第２分類モードとを切り替えて設定するモード切替部をさらに備え、前記集積部が複数設けられており、前記識別部は、紙幣の金種、正損、表裏、及び方向のうち少なくともいずれか１つを識別し、前記制御部は、前記第１分類モードが設定されている場合は、前記識別部の識別結果及び第１分類基準に基づいて紙幣の搬送先を決定し、前記第２分類モードが設定されている場合は、前記識別部の識別結果、前記第１分類基準とは異なる第２分類基準、及び前記照合結果に基づいて紙幣の搬送先を決定することを特徴とする。
【００１１】
本発明の一態様による紙幣処理システムは、前記識別部により取得された紙幣番号情報と紙幣の搬送先とを関連付けて記憶する記憶部をさらに備え、前記集積部が複数設けられており、前記制御部は、前記通信部が受信した紙幣番号情報と、前記記憶部に記憶されている紙幣番号情報とを照合し、照合結果が一致した紙幣が集積されている集積部を特定し、特定した集積部を通知することを特徴とする。
【００１２】
本発明の一態様による紙幣処理システムは、各集積部に対応して設けられた複数の表示部をさらに備え、前記制御部は、特定した集積部に対応する表示部に所定の情報を表示することを特徴とする。
【００１３】
本発明の一態様による紙幣処理システムは、紙幣を識別して紙幣番号情報を取得する第１識別部、前記第１識別部により識別された紙幣を集積する第１集積部、識別された紙幣を第１集積部へ搬送する第１搬送部、取得された紙幣番号情報を送信する送信部、及び紙幣の搬送を制御する第１制御部を備える第１紙幣処理装置と、前記第１紙幣処理装置から送信された紙幣番号情報と、記憶装置に記憶されている複数の紙幣番号情報とを照合し、照合結果が一致した紙幣番号情報を送信する管理装置と、紙幣を識別して紙幣番号情報を取得する第２識別部、前記第２識別部により識別された紙幣を集積する第２集積部、識別された紙幣を第２集積部へ搬送する第２搬送部、前記管理装置から送信された紙幣番号情報を受信する受信部、及び前記第２識別部により取得された紙幣番号情報と、前記受信部が受信した紙幣番号情報とを照合し、照合結果に応じて紙幣の搬送を制御する第２制御部を備える第２紙幣処理装置と、を備える。
【００１４】
本発明の一態様による紙幣処理システムは、前記第２集積部は複数設けられており、前記第２制御部は、照合結果が一致する紙幣を、照合結果が一致しない紙幣とは異なる第２集積部へ搬送させることを特徴とする。
【００１５】
本発明の一態様による紙幣処理システムは、前記第２制御部は、照合結果が一致した場合に、紙幣の搬送を停止させることを特徴とする。
【００１６】
本発明の一態様による紙幣処理装置は、紙幣を識別して紙幣番号情報を取得する識別部と、前記識別部により識別された紙幣を集積する集積部と、識別された紙幣を前記集積部へ搬送する搬送部と、取得された紙幣番号情報を送信し、紙幣番号情報の送信後、送信した紙幣番号情報に含まれる少なくとも１つの紙幣番号情報を受信する通信部と、紙幣の搬送を制御する制御部と、を備え、前記制御部は、前記通信部が紙幣番号情報を受信している場合、前記識別部により取得された紙幣番号と、前記通信部が受信した紙幣番号情報とを照合し、照合結果に応じて紙幣の搬送を制御することを特徴とする。
【００１７】
本発明の一態様による紙幣処理装置は、前記集積部は複数設けられており、前記制御部は、照合結果が一致する紙幣を、照合結果が一致しない紙幣とは異なる集積部へ搬送させることを特徴とする。
【００１８】
本発明の一態様による紙幣処理装置は、前記制御部は、照合結果が一致した場合に、紙幣の搬送を停止させることを特徴とする。
【００１９】
本発明の一態様による紙幣処理装置は、第１分類モードと第２分類モードとを切り替えて設定するモード切替部をさらに備え、前記集積部は複数設けられており、前記識別部は、紙幣の金種、正損、表裏、及び方向のうち少なくともいずれか１つを識別し、前記制御部は、前記第１分類モードが設定されている場合は、前記識別部の識別結果及び第１分類基準に基づいて紙幣の搬送先を決定し、前記第２分類モードが設定されている場合は、前記識別部の識別結果、前記第１分類基準とは異なる第２分類基準、及び前記照合結果に基づいて紙幣の搬送先を決定することを特徴とする。
【００２０】
本発明の一態様による紙幣処理装置は、前記識別部により取得された紙幣番号情報と紙幣の搬送先とを関連付けて記憶する記憶部をさらに備え、前記集積部は複数設けられており、前記制御部は、前記通信部が受信した紙幣番号情報と、前記記憶部に記憶されている紙幣番号情報とを照合し、照合結果が一致した紙幣が集積されている集積部を特定し、特定した集積部を通知することを特徴とする。
【００２１】
本発明の一態様による紙幣処理装置は、各集積部に対応して設けられた複数の表示部をさらに備え、前記制御部は、特定した集積部に対応する表示部に所定の情報を表示することを特徴とする。
【００２２】
本発明の一態様による紙幣処理方法は、紙幣処理装置の識別部が、紙幣を識別して紙幣番号情報を取得する第１識別工程と、前記第１識別工程において識別された紙幣を紙幣処理装置の集積部に集積する集積工程と、管理装置が、前記第１識別工程において識別された紙幣番号情報と、記憶装置に記憶されている複数の紙幣番号情報とを照合する第１照合工程と、紙幣処理装置の識別部が、前記集積部に集積されている紙幣の紙幣番号情報を取得する第２識別工程と、紙幣処理装置の制御部が、前記第２識別工程において取得された紙幣番号情報と、前記第１照合工程における照合結果が一致した紙幣番号情報とを照合する第２照合工程と、前記第２照合工程における照合結果に応じて紙幣の搬送を制御する搬送制御工程と、を備える。
【００２３】
本発明の一態様による紙幣処理方法は、前記紙幣処理装置には集積部が複数設けられており、前記搬送制御工程では、前記第２照合工程における照合結果が一致した紙幣と、一致しない紙幣とを紙幣処理装置の異なる集積部へ搬送することを特徴とする。
【００２４】
本発明の一態様による紙幣処理方法は、前記搬送制御工程では、前記第２照合工程における照合結果が一致した場合に、紙幣の搬送を停止させることを特徴とする。
【００２５】
本発明の一態様による紙幣処理方法は、前記第１識別工程及び前記集積工程が行われる紙幣処理装置と、前記第２識別工程、前記第２照合工程、及び前記搬送制御工程が行われる紙幣処理装置は異なることを特徴とする。
【発明の効果】
【００２６】
本発明によれば、データベースに記録されている紙幣番号と同じ紙幣番号を持つ紙幣を速やかに選別することができる。
【図面の簡単な説明】
【００２７】
【図１】第１の実施形態に係る紙幣処理システムの概略構成図である。
【図２】第１の実施形態に係る紙幣処理装置の断面図である。
【図３】第１の実施形態に係る紙幣処理システムのブロック図である。
【図４】第１の実施形態に係る紙幣処理方法を説明するフローチャートである。
【図５】第２の実施形態に係る紙幣処理システムの概略構成図である。
【図６】第２の実施形態に係る紙幣処理装置の断面図である。
【図７】第２の実施形態に係る紙幣処理システムのブロック図である。
【図８】第２の実施形態に係る紙幣処理方法を説明するフローチャートである。
【図９】第３の実施形態に係る紙幣処理システムの概略構成図である。
【図１０】第３の実施形態の変形例による紙幣処理システムの概略構成図である。
【図１１】第３の実施形態の変形例による紙幣処理システムの概略構成図である。
【発明を実施するための形態】
【００２８】
以下、本発明の実施の形態を図面に基づいて説明する。
【００２９】
（第１の実施形態）図１に本発明の第１の実施形態に係る紙幣処理システムの概略構成を示す。図１に示すように、紙幣処理システムは、紙幣の識別及び分類集積を行う紙幣処理装置１００と、偽造紙幣等の検出対象紙幣の紙幣番号（記番号）を記憶したデータベースを備える管理装置２００と、を備えている。
【００３０】
図２は紙幣処理装置１００の断面図である。図１、図２に示すように、紙幣処理装置１００は、筐体１０８と、筐体１０８に設けられ、紙幣を束状態で受け付けるホッパ（受付部）１０１と、ホッパ１０１で受け付けられた束状態の紙幣を筐体１０８内に１枚ずつ取り込む取込部１０２と、取込部１０２によって取り込まれた紙幣を搬送する搬送部１０３と、搬送部１０３に設けられ、当該搬送部１０３によって搬送される紙幣を識別する識別部１０５と、を備えている。
【００３１】
このうち、取込部１０２は、図２に示すように、紙幣を繰り出すフィードローラ１０２ａと、フィードローラ１０２ａに対向して設けられたゲートローラ（逆転ローラ）１０２ｂと、ホッパ１０１に収容された紙幣をフィードローラに向かって蹴り出すキッカローラ１０２ｃ、１０２ｄと、を有している。また、搬送部１０３は、紙幣を案内する搬送路１０３ａと、この紙幣に駆動力を付与する搬送ローラ（図示せず）とを有している。
【００３２】
また、図２に示すように、取込部１０２と識別部１０５との間には、取込部２によって取り込まれた紙幣の搬送状態を検知する搬送状態検出センサ１２１、１２２が設けられている。また、識別部１０５は、搬送路１０３ａを案内されている紙幣の画像を読み取る画像読取センサ１０５ａを有している。識別部１０５は、画像読取センサ１０５ａによって読み取られた画像データに基づいて、紙幣の通貨、金種、方向、正損、刷種（新旧）、真偽などを識別する。また、識別部１０５はＯＣＲ（Optical Character Recognition）機能を有しており、紙幣番号情報として紙幣番号を読み取ることができる。
【００３３】
また、識別部１０５の下流側であって搬送部１０３の端部には、集積部１６５ａ〜１６５ｄのいずれへも集積されないと判断された紙幣が集積されるリジェクト部１０９が連結されている。このリジェクト部１０９は、下方側に配置された第一リジェクト部１０９ａと、上方側に配置された第二リジェクト部１０９ｂとを有している。
【００３４】
また、図２に示すように、搬送路１０３ａには、紙幣の案内されるリジェクト部１０９（第一リジェクト部１０９ａおよび第二リジェクト部１０９ｂ）を切り換える分岐爪１４７、１４８が設けられている。
【００３５】
また、分岐爪１４７と第一リジェクト部１０９ａとの間には、分岐爪１４７によって案内された紙幣が正常に第一リジェクト部１０９ａへと案内されているかを検知するセンサ１２７が設けられている。同様に、分岐爪１４８と第二リジェクト部１０９ｂとの間には、分岐爪１４８によって案内された紙幣が正常に第二リジェクト部１０９ｂへと案内されているかを検知するセンサ１２８が設けられている。
【００３６】
また、図１および図２に示すように、識別部１０５の下流側であって搬送部１０３の端部には、搬送部１０３によって搬送された紙幣を集積する集積部１６５ａ〜１６５ｄが連結されている。
【００３７】
また、図２に示すように、分岐爪１４８と集積部１６５ａとの間には、リジェクト部１０９に案内されなかった紙幣が、集積部１６５ａ〜１６５ｄに向かって正常に案内されているかを検知するためのセンサ１２６が設けられている。
【００３８】
また、搬送路１０３ａには、紙幣が正常に搬送されているかを検知するセンサ１３１ａ〜１３１ｃや、紙幣の案内される集積部を切り換える分岐爪１４１ａ〜１４１ｃが設けられている。また、これら分岐爪１４１ａ〜１４１ｃの下流側には、分岐爪１４１ａ〜１４１ｃによって分岐された紙幣が正常に集積部１６５ａ〜１６５ｄに案内されているかを検知するカウントセンサ１３２ａ〜１３２ｄが設けられている。
【００３９】
また、集積部１６５ａ〜１６５ｄ内には、それぞれ、集積部１６５ａ〜１６５ｄ内の紙幣の収納状況を検知する残留検知センサ１３６ａ〜１３６ｄが設けられている。
【００４０】
また、図１に示すように、筐体１０８には、集積部１６５ａ〜１６５ｄに集積されている紙幣の種類や枚数、その他の情報を表示する表示部１１１ａ〜１１１ｄが設けられている。表示部１１１ａ〜１１１ｄに表示される紙幣の種類は、例えば、通貨、金種、方向、正損、刷種などである。表示部１１１ａ〜１１１ｄは、ＬＣＤ等のディスプレイを用いることができる。
【００４１】
また、筐体１０８には、集積部１６５ａ〜１６５ｄに集積する紙幣の分類モードの切替指示を受け付けるモード切替部１１０が設けられている。モード切替部１１０は例えばタッチパネルを有しており、指示された分類モードを紙幣処理装置１００に設定する。
【００４２】
図３は紙幣処理システムのブロック構成図である。紙幣処理装置１００は、図１及び図２には示されていない制御部１７０、通信部１８０及び記憶部１９０をさらに備えている。通信部１８０は、識別部１０５により読み取られた紙幣番号を管理装置２００へ送信する。また、通信部１８０は、管理装置２００から紙幣番号を受信すると、受信した紙幣番号を記憶部１９０に格納する。
【００４３】
制御部１７０は、設定されている分類モード及び識別部１０５の識別結果に基づいて紙幣の搬送先を決定し、搬送部１０３を制御する。また、制御部１７０は、記憶部１９０に紙幣番号が格納されている場合は、記憶部１９０に格納されている紙幣番号と、識別部１０５が読み取った紙幣番号とを照合し、照合結果に基づいて紙幣の搬送先を決定し、搬送部１０３を制御する。このとき、記憶部１９０に格納されている紙幣番号情報は、通信部１８０を介して管理装置２００から受信した紙幣番号情報とすることができる。
【００４４】
図３に示すように、管理装置２００は、制御部２１０、通信部２２０、記憶部２３０及び照合部２４０を備えている。制御部２１０は、通信部２２０、記憶部２３０及び照合部２４０の間のデータ転送制御を行う。記憶部２３０は、あらかじめ、偽造紙幣等の検出対象紙幣の紙幣番号が複数記録されたデータベースである。
【００４５】
通信部２２０は、紙幣処理装置１００の通信部１８０から紙幣番号を受信すると、受信した紙幣番号を照合部２４０に渡す。照合部２４０は、紙幣処理装置１００から受信した紙幣番号と、記憶部２３０に格納されている紙幣番号とを照合する。照合部２４０は、照合結果が一致した紙幣番号を通信部２２０に渡す。通信部２２０は、照合部２４０から受け取った紙幣番号を紙幣処理装置１００の通信部１８０へ送信する。
【００４６】
次に、このような紙幣処理システムを用いた紙幣処理方法を図４に示すフローチャートを用いて説明する。
【００４７】
（ステップＳ１０１）紙幣をホッパ１０１に投入する。
【００４８】
（ステップＳ１０２）取込部１０２がホッパ１０１に載置された紙幣を１枚ずつ筐体１０８内に取り込む。
【００４９】
（ステップＳ１０３）識別部１０５が取り込まれた紙幣の金種、正損等を識別する。また、識別部１０５は紙幣の紙幣番号を読み取る。
【００５０】
（ステップＳ１０４）制御部１７０が、識別部１０５の識別結果及びモード切替部１１０により設定されている分類モードに基づいて紙幣の搬送先を決定し、搬送部１０３を制御する。紙幣が、集積部１６５ａ〜１６５ｄ、第一リジェクト部１０９ａ、又は第二リジェクト部１０９ｂに集積される。
【００５１】
例えば、分類モードが金種別分類であった場合、紙幣が金種別に集積部１６５ａ〜１６５ｄに集積される。また、第一リジェクト部１０９ａにリジェクト紙幣が集積され、第二リジェクト部１０９ｂにサスペクト紙幣が集積される。
【００５２】
また、分類モードが方向別分類であった場合、紙幣が方向別に集積部１６５ａ〜１６５ｄに集積される。方向は、表前、表後、裏前、裏後の４方向ある。具体的には、肖像が上で且つ肖像の頭の方から取り込まれる方向が表前、肖像が上で且つ頭と反対の方から取り込まれる方向が表後、肖像が下で且つ肖像の頭の方から取り込まれる方向が裏前、肖像が下で且つ頭と反対の方から取り込まれる方向が裏後となる。
【００５３】
（ステップＳ１０５）ホッパ１０１に載置された紙幣が全て取り込まれた場合はステップＳ１０６に進む。ホッパ１０１に紙幣が残っている場合はステップＳ１０２に戻る。
【００５４】
（ステップＳ１０６）紙幣処理装置１００の通信部１８０が、識別部１０５がステップＳ１０３で読み取った全ての紙幣についての紙幣番号を、管理装置２００の通信部２２０へ送信する。なお、この送信処理は、ステップＳ１０３で１枚の紙幣の紙幣番号情報を読み取った直後に、その紙幣ごとに実行するようにしてもよい。
【００５５】
（ステップＳ１０７）管理装置２００において、照合部２４０が、ステップＳ１０６において紙幣処理装置１００から受信した紙幣番号と、記憶部２３０に格納されている紙幣番号とを照合する。
【００５６】
（ステップＳ１０８）照合結果が一致した紙幣番号があった場合、照合部２４０は、この紙幣番号を通信部２２０に渡す。
【００５７】
記憶部２３０には、偽造紙幣等の検出対象紙幣の紙幣番号が格納されている。従って、照合結果が一致した紙幣番号があるということは、ステップＳ１０２〜Ｓ１０５において紙幣処理装置１００が処理した紙幣に偽造紙幣等の検出対象紙幣が含まれていることを示す。
【００５８】
照合結果が一致した紙幣番号がなかった場合は、処理を終了する。
【００５９】
（ステップＳ１０９）通信部２２０が、照合結果が一致した紙幣番号を通信部１８０へ送信する。通信部１８０は、通信部２２０から受信した紙幣番号を記憶部１９０に格納する。通信部１８０が通信部２２０から受信する紙幣番号は、ステップＳ１０６において通信部１８０が通信部２２０へ送信した紙幣番号に含まれるものである。
【００６０】
（ステップＳ１１０）ステップＳ１０４で集積部１６５ａ〜１６５ｄに集積された紙幣を、ホッパ１０１に再度投入する。このとき、ステップＳ１０４で第一リジェクト部１０９ａ及び第二リジェクト部１０９ｂに集積された紙幣をホッパ１０１に再度投入してもよい。
【００６１】
（ステップＳ１１１）取込部１０２がホッパ１０１に載置された紙幣を１枚ずつ筐体１０８内に取り込む。
【００６２】
（ステップＳ１１２）識別部１０５が取り込まれた紙幣の金種、正損等を識別する。また、識別部１０５は紙幣の紙幣番号を読み取る。
【００６３】
（ステップＳ１１３）制御部１７０が、記憶部１９０に格納されている紙幣番号と、ステップＳ１１２で読み取られた紙幣番号とを照合する。そして、制御部１７０が、照合結果、識別部１０５の識別結果、及びモード切替部１１０により設定されている分類モードに基づいて紙幣の搬送先を決定し、搬送部１０３を制御する。制御部１７０は、照合結果が一致した紙幣（紙幣番号が記憶部１９０に格納されている紙幣番号と同じ紙幣）が、照合結果が不一致の紙幣とは異なる集積部１６５ａ〜１６５ｄ、第一リジェクト部１０９ａ、又は第二リジェクト部１０９ｂに集積されるように、紙幣の搬送先を決定する。
【００６４】
（ステップＳ１１４）紙幣が集積部１６５ａ〜１６５ｄ、第一リジェクト部１０９ａ、又は第二リジェクト部１０９ｂに集積される。
【００６５】
（ステップＳ１１５）ホッパ１０１に載置された紙幣が全て取り込まれた場合は処理を終了する。ホッパ１０１に紙幣が残っている場合はステップＳ１１１に戻る。
【００６６】
このような処理により、ステップＳ１１３での照合の結果が一致した紙幣が、照合結果が不一致の紙幣とは異なる集積部１６５ａ〜１６５ｄ、第一リジェクト部１０９ａ、又は第二リジェクト部１０９ｂに集積される。
【００６７】
例えば、照合結果が一致した紙幣は集積部１６５ａに集積され、照合結果が不一致の紙幣はモード切替部１１０により設定されている分類モードに基づいて集積部１６５ｂ〜１６５ｄに集積される。例えば、照合結果が不一致の紙幣が金種別に集積部１６５ｂ〜１６５ｄに集積される。
【００６８】
または、第一リジェクト部１０９ａ又は第二リジェクト部１０９ｂの一方に照合結果が一致した紙幣が集積され、他方にリジェクト紙幣及びサスペクト紙幣が集積され、照合結果が不一致の紙幣が集積部１６５ａ〜１６５ｄに集積される。照合結果が一致した紙幣を第一リジェクト部１０９ａ又は第二リジェクト部１０９ｂに集積することで、照合結果が不一致の紙幣の分類に全ての集積部１６５ａ〜１６５ｄを利用することができ、細かい分類を行うことができる。
【００６９】
あるいはまた、照合結果が一致した紙幣が集積部１６５ａ〜１６５ｄ又は第一リジェクト部１０９ａ又は第二リジェクト部１０９ｂに集積された時点で紙幣の取込と搬送を停止しても良い。さらに、照合結果が一致した紙幣を集積部又はリジェクト部から取り除くことで、紙幣の取込と搬送を再開するようにしても良い。
【００７０】
このように、本実施形態によれば、管理装置２００が、紙幣処理装置１００の１回目の紙幣処理（ステップＳ１０１〜Ｓ１０５）で読み取られた紙幣番号と、自身の記憶部２３０に記憶されている検出対象紙幣の紙幣番号とを照合し、一致した紙幣番号を紙幣処理装置１００に通知する。そして、紙幣処理装置１００は、２回目の紙幣処理（ステップＳ１１０〜Ｓ１１５）で、管理装置２００から通知された紙幣番号を持つ紙幣を、他の紙幣と分けて分類集積する。
【００７１】
管理装置２００の記憶部２３０に格納されている検出対象紙幣の紙幣番号は多数あるが、ステップＳ１１３で紙幣処理装置１００が照合に用いる紙幣番号は、そのうちの一部であり、紙幣処理装置１００が１回目の紙幣処理で取り込んだ検出対象紙幣の紙幣番号のみである。従って、ステップＳ１１３の照合は、紙幣の取り込み速度に合わせて速やかに行うことができ、照合結果が一致した紙幣と一致しなかった紙幣とを選別し、分類集積することができる。
【００７２】
上記第１の実施形態において、制御部１７０は、１回目の紙幣処理における各紙幣の紙幣番号と搬送先とを紐付けて記憶しておき、管理装置２００から通知された紙幣番号の紙幣が集積されている集積部１６５ａ〜１６５ｄをオペレータに通知するようにしてもよい。例えば、管理装置２００から通知された紙幣番号の紙幣が集積されている集積部１６５ａ〜１６５ｄに対応する表示部１１１ａ〜１１１ｄに、検出対象紙幣が含まれていることを表示させる。管理装置２００から通知された紙幣番号の紙幣が第一リジェクト部１０９ａ又は第二リジェクト部１０９ｂに集積されている場合は、モード切替部１１０の表示手段に表示させる。検出対象紙幣が含まれている集積部１６５ａ〜１６５ｄの紙幣のみ２回目の紙幣処理を行うことで、２回目の紙幣処理に要する時間を短縮し、検出対象紙幣をさらに速やかに選別することができる。
【００７３】
（第２の実施形態）上記第１の実施形態に係る紙幣処理システムの紙幣処理装置１００は図１及び図２に示すように、複数の集積部１６５ａ〜１６５ｄを備え、取り込んだ紙幣を分類して集積できるものであったが、図５及び図６に示すように集積部が１つの紙幣処理装置３００を用いてもよい。
【００７４】
図５は、紙幣処理装置３００の斜視図であり、図６は断面図である。図５、図６に示すように、紙幣処理装置３００の筐体３０８の上部には紙幣を束状態で受け付けるホッパ（受付部）３０１が設けられ、筐体３０８の前面部には操作パネル３１０と、計数された紙幣を集積する１つの集積部３６５が設けられている。
【００７５】
図６に示すように、ホッパ３０１に投入された紙幣３１０は、キッカローラ３１２、フィードローラ３１３、及びゲートローラ３１４からなる取込部３０２により１枚ずつ繰り出され、機内に取り込まれる。取り込まれた紙幣は、搬送部３０３により搬送される。スタッカファン３１８は、搬送部３０３によって搬送された紙幣を羽根内に１枚ずつ取り込み、集積部３６５内に集積する。搬送部３０３には、紙幣の金種、真偽、正損、方向等を識別する識別部３０５が設けられている。また、識別部３０５はＯＣＲ（Optical Character Recognition）機能を有しており、紙幣番号情報として紙幣番号を読み取ることができる。
【００７６】
図７は紙幣処理システムのブロック構成図である。紙幣処理装置３００は、図５及び図６には示されていない制御部３７０、通信部３８０及び記憶部３９０をさらに備えている。通信部３８０は、識別部３０５により読み取られた紙幣番号を管理装置２００へ送信する。また、通信部３８０は、管理装置２００から紙幣番号を受信すると、受信した紙幣番号を記憶部３９０に格納する。
【００７７】
制御部３７０は、記憶部３９０に紙幣番号が格納されている場合、記憶部３９０に格納されている紙幣番号と、識別部３０５が読み取った紙幣番号とを照合し、照合結果が一致した場合に、紙幣の取り込み及び搬送等の動作を停止するように、取込部３０２及び搬送部３０３等を制御する。
【００７８】
管理装置２００の構成は上記第１の実施形態と同様であり、記憶部２３０は、あらかじめ、偽造紙幣等の検出対象紙幣の紙幣番号が複数記録されたデータベースとなっている。通信部２２０は、紙幣処理装置３００の通信部３８０から紙幣番号を受信すると、受信した紙幣番号を照合部２４０に渡す。照合部２４０は、紙幣処理装置３００から受信した紙幣番号と、記憶部２３０に格納されている紙幣番号とを照合する。照合部２４０は、照合結果が一致した紙幣番号を通信部２２０に渡す。通信部２２０は、照合部２４０から受け取った紙幣番号を紙幣処理装置３００の通信部３８０へ送信する。
【００７９】
次に、このような紙幣処理システムを用いた紙幣処理方法を図８に示すフローチャートを用いて説明する。
【００８０】
（ステップＳ２０１）紙幣をホッパ３０１に投入する。
【００８１】
（ステップＳ２０２）取込部３０２がホッパ３０１に載置された紙幣を１枚ずつ筐体３０８内に取り込む。
【００８２】
（ステップＳ２０３）識別部３０５が取り込まれた紙幣の金種、正損等を識別する。また、識別部３０５は紙幣の紙幣番号を読み取る。
【００８３】
（ステップＳ２０４）紙幣が集積部３６５に集積される。
【００８４】
（ステップＳ２０５）ホッパ３０１に載置された紙幣が全て取り込まれた場合はステップＳ２０６に進む。ホッパ３０１に紙幣が残っている場合はステップＳ２０２に戻る。
【００８５】
（ステップＳ２０６）紙幣処理装置３００の通信部３８０が、識別部３０５がステップＳ２０３で読み取った全ての紙幣についての紙幣番号を、管理装置２００の通信部２２０へ送信する。なお、この送信処理は、ステップＳ１０３で１枚の紙幣の紙幣番号情報を読み取った直後に、その紙幣ごとに実行するようにしてもよい。
【００８６】
（ステップＳ２０７）管理装置２００において、照合部２４０が、ステップＳ２０６において紙幣処理装置３００から受信した紙幣番号と、記憶部２３０に格納されている紙幣番号とを照合する。
【００８７】
（ステップＳ２０８）照合結果が一致した紙幣番号があった場合、照合部２４０は、この紙幣番号を通信部２２０に渡す。
【００８８】
記憶部２３０には、偽造紙幣等の検出対象紙幣の紙幣番号が格納されている。従って、照合結果が一致した紙幣番号があるということは、ステップＳ２０２〜Ｓ２０５において紙幣処理装置３００が処理した紙幣に偽造紙幣等の検出対象紙幣が含まれていることを示す。
【００８９】
照合結果が一致した紙幣番号がなかった場合は、処理を終了する。
【００９０】
（ステップＳ２０９）通信部２２０が、照合結果が一致した紙幣番号を通信部３８０へ送信する。通信部３８０は、通信部２２０から受信した紙幣番号を記憶部３９０に格納する。通信部３８０が通信部２２０から受信する紙幣番号は、ステップＳ２０６において通信部３８０が通信部２２０へ送信した紙幣番号に含まれるものである。
【００９１】
（ステップＳ２１０）ステップＳ２０４で集積部３６５に集積された紙幣を、ホッパ３０１に再度投入する。
【００９２】
（ステップＳ２１１）取込部３０２がホッパ３０１に載置された紙幣を１枚ずつ筐体３０８内に取り込む。
【００９３】
（ステップＳ２１２）識別部３０５が取り込まれた紙幣の金種、正損等を識別する。また、識別部３０５は紙幣の紙幣番号を読み取る。
【００９４】
（ステップＳ２１３）制御部３７０が、記憶部３９０に格納されている紙幣番号と、ステップＳ２１２で読み取られた紙幣番号とを照合する。
【００９５】
（ステップＳ２１４）紙幣が集積部３６５に集積される。
【００９６】
（ステップＳ２１５）ステップＳ２１３での照合結果が一致している場合はステップＳ２１６へ進み、照合結果が一致していない場合はステップＳ２１８へ進む。
【００９７】
（ステップＳ２１６）制御部３７０が、取込部３０２及び搬送部３０３を停止させる。これにより、記憶部３９０に格納されている紙幣番号と同じ紙幣番号を持つ紙幣が集積部３６５に集積されている紙幣の最上部に集積された状態で、紙幣処理装置３００の動作が停止する。
【００９８】
（ステップＳ２１７）オペレータにより、集積部３６５に集積されている紙幣のうち、最上部に集積された紙幣（記憶部３９０に格納されている紙幣番号と同じ紙幣番号を持つ紙幣）が取り出される。
【００９９】
（ステップＳ２１８）ホッパ３０１に載置された紙幣が全て取り込まれた場合は処理を終了する。ホッパ３０１に紙幣が残っている場合はステップＳ２１１に戻る。
【０１００】
このように、本実施形態によれば、管理装置２００が、紙幣処理装置３００の１回目の紙幣処理（ステップＳ２０１〜Ｓ２０５）で読み取られた紙幣番号と、自身の記憶部２３０に記憶されている検出対象紙幣の紙幣番号とを照合し、一致した紙幣番号を紙幣処理装置３００に通知する。そして、紙幣処理装置３００は、２回目の紙幣処理（ステップＳ２１０〜Ｓ２１８）で、管理装置２００から通知された紙幣番号を持つ紙幣を取り込んだ場合、この紙幣を集積部３６５に集積して停止する。
【０１０１】
管理装置２００の記憶部２３０に格納されている検出対象紙幣の紙幣番号は多数あるが、ステップＳ２１３で紙幣処理装置３００が照合に用いる紙幣番号は、そのうちの一部であり、紙幣処理装置３００が１回目の紙幣処理で取り込んだ検出対象紙幣の紙幣番号のみである。従って、ステップＳ２１３の照合は、紙幣の取り込み速度に合わせて速やかに行うことができ、照合結果が一致した場合に紙幣処理装置３００を停止させることで、照合結果が一致した紙幣と一致しなかった紙幣とを選別することができる。
【０１０２】
（第３の実施形態）上記第１、第２の実施形態では１回目の紙幣処理（図４のステップＳ１０１〜Ｓ１０５、図８のステップＳ２０１〜Ｓ２０５）と、２回目の紙幣処理（図４のステップＳ１１０〜Ｓ１１５、図８のステップＳ２１０〜Ｓ２１８）を同一の紙幣処理装置１００、３００で行っていたが、紙幣処理システムに紙幣処理装置を２台設け、１回目の紙幣処理と２回目の紙幣処理を異なる紙幣処理装置で行うようにしてもよい。
【０１０３】
例えば、図９に示すように、紙幣処理装置１００と同様の構成の紙幣処理装置１００Ａ、１００Ｂを設け、紙幣処理装置１００Ａが１回目の紙幣処理（図４のステップＳ１０１〜Ｓ１０５）を行った後、紙幣処理装置１００Ａの集積部１６５ａ〜１６５ｄから紙幣を取り出して紙幣処理装置１００Ｂのホッパ１０１に投入して、２回目の紙幣処理（図４のステップＳ１１０〜Ｓ１１５）を行ってもよい。管理装置２００は、紙幣処理装置１００Ａから紙幣番号を受信して、記憶部２３０に格納されている紙幣番号と照合し、照合結果が一致した紙幣番号を紙幣処理装置１００Ｂに通知する。
【０１０４】
また、紙幣処理装置１００Ａが、１回目の紙幣処理における各紙幣の紙幣番号と搬送先（紙幣が集積された集積部）との関連付けを管理装置２００に送信し、管理装置２００が、照合結果の一致した紙幣番号の紙幣が集積されていた紙幣処理装置１００Ａの集積部１６５ａ〜１６５ｄ又は第一リジェクト部１０９ａ又は第二リジェクト部１０９ｂをオペレータに通知するようにしてもよい。オペレータは、通知された紙幣処理装置１００Ａの集積部１６５ａ〜１６５ｄ又は第一リジェクト部１０９ａ又は第二リジェクト部１０９ｂから取り出した紙幣のみ紙幣処理装置１００Ｂのホッパ１０１に投入して、２回目の紙幣処理を行うことで、検出対象紙幣の選別に要する時間を短縮することができる。
【０１０５】
また、図１０に示すように、紙幣処理装置３００と同様の構成の紙幣処理装置３００Ａ、３００Ｂを設け、紙幣処理装置３００Ａが１回目の紙幣処理（図８のステップＳ２０１〜Ｓ２０５）を行った後、紙幣処理装置３００Ａの集積部３６５から紙幣を取り出して紙幣処理装置３００Ｂのホッパ３０１に投入して、２回目の紙幣処理（図８のステップＳ２１０〜Ｓ２１８）を行ってもよい。管理装置２００は、紙幣処理装置３００Ａから紙幣番号を受信して、記憶部２３０に格納されている紙幣番号と照合し、照合結果が一致した紙幣番号を紙幣処理装置３００Ｂに通知する。紙幣処理装置３００Ａは、管理装置２００における照合処理の終了を待たずに、次の紙幣束の処理を行うことができるため、紙幣処理装置３００Ａを効率良く稼働させることができる。
【０１０６】
また、図１１に示すように、紙幣処理装置１００及び紙幣処理装置３００を１台ずつ設け、紙幣処理装置３００が１回目の紙幣処理（図８のステップＳ２０１〜Ｓ２０５）を行った後、紙幣処理装置３００の集積部３６５から紙幣を取り出して紙幣処理装置１００のホッパ１０１に投入して、２回目の紙幣処理（図４のステップＳ１１０〜Ｓ１１５）を行ってもよい。この場合、管理装置２００は、紙幣処理装置３００から紙幣番号を受信して、記憶部２３０に格納されている紙幣番号と照合し、照合結果が一致した紙幣番号を紙幣処理装置１００に通知する。
【０１０７】
あるいはまた、紙幣処理装置１００が１回目の紙幣処理（図４のステップＳ１０１〜Ｓ１０５）を行った後、紙幣処理装置１００の集積部１６５から紙幣を取り出して紙幣処理装置３００のホッパ３０１に投入して、２回目の紙幣処理（図８のステップＳ２１０〜Ｓ２１８）を行ってもよい。この場合、管理装置２００は、紙幣処理装置１００から紙幣番号を受信して、記憶部２３０に格納されている紙幣番号と照合し、照合結果が一致した紙幣番号を紙幣処理装置３００に通知する。
【０１０８】
また、図１１に示すように、紙幣処理装置１００及び紙幣処理装置３００を１台ずつ設ける場合に、紙幣処理装置３００の識別部３０５のＯＣＲ機能を省略し、管理装置２００にＯＣＲ機能を持たせるようにしてもよい。識別部３０５は、紙幣番号情報として紙幣番号領域のイメージデータを取得し、このイメージデータが紙幣処理装置３００から管理装置２００へ送信される。管理装置２００のＯＣＲ処理部（図示せず）が、受信したイメージデータをＯＣＲ処理して紙幣番号のテキストデータを取得する。
【０１０９】
そして、照合部２４０が、ＯＣＲ処理部により取得された紙幣番号と、記憶部２３０に格納されている紙幣番号とを照合する。照合結果が一致した紙幣番号があった場合、照合部２４０は、この紙幣番号を通信部２２０に渡し、通信部２２０が、照合結果が一致した紙幣番号を通信部１８０へ送信する。通信部１８０は、通信部２２０から受信した紙幣番号を記憶部１９０に格納する。そして、紙幣処理装置３００の集積部３６５から紙幣を取り出して紙幣処理装置１００のホッパ１０１に投入して、２回目の紙幣処理（図４のステップＳ１１０〜Ｓ１１５）を行ってもよい。
【０１１０】
また、図１に示す紙幣処理システムにおいて、管理装置２００にＯＣＲ機能を持たせてもよい。例えば、紙幣処理装置１００の１回目の紙幣処理（ステップＳ１０１〜Ｓ１０５）では、識別部１０５は紙幣番号領域のイメージデータを紙幣番号情報として取得するが、ＯＣＲ処理は行わない。紙幣処理装置１００の１回目の紙幣処理で取得されたイメージデータは、管理装置２００へ送信される。管理装置２００のＯＣＲ処理部（図示せず）が、受信したイメージデータをＯＣＲ処理して紙幣番号のテキストデータを取得する。
【０１１１】
そして、照合部２４０が、ＯＣＲ処理部により取得された紙幣番号と、記憶部２３０に格納されている紙幣番号とを照合する。照合結果が一致した紙幣番号があった場合、照合部２４０は、この紙幣番号を通信部２２０に渡し、通信部２２０が、照合結果が一致した紙幣番号を通信部１８０へ通知する。そして、紙幣処理装置１００は、２回目の紙幣処理（ステップＳ１１０〜Ｓ１１５）でＯＣＲ処理を行い、管理装置２００から通知された紙幣番号を持つ紙幣を、他の紙幣と分けて分類集積する。このように、１回目の紙幣処理は、ＯＣＲ処理を含まないため、２回目の紙幣処理と比較して、高速に識別計数処理を行うことができる。
【０１１２】
また、識別部１０５、３０５が取得する紙幣番号情報、記憶部２３０に格納されている紙幣番号情報、または照合部２４０が照合する紙幣番号情報は、紙幣に付与された紙幣番号の一部の情報であってもよい。例えば、紙幣に印刷された紙幣番号の上位３桁のみを照合したい場合、照合部２４０は、識別部１０５、３０５が取得する紙幣番号情報および記憶部２３０に格納されている紙幣番号情報から、紙幣番号の上位３桁のみに関する情報について照合するようにしてもよい。また、このような場合、識別部１０５、３０５が取得する紙幣番号情報または記憶部２３０に格納されている紙幣番号情報を、紙幣番号の上位３桁に関する情報のみとしてもよい。
【０１１３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１４】
１００  紙幣処理装置
１０２  取込部
１０３  搬送部
１０５  識別部
１１０  モード切替部
１６５ａ〜ｄ  集積部
１７０  制御部
１８０  通信部
１９０  記憶部
２００  管理装置
２１０  制御部
２２０  通信部
２３０  記憶部
２４０  照合部
３００  紙幣処理装置
３０２  取込部
３０３  搬送部
３０５  識別部
３６５  集積部
３７０  制御部
３８０  通信部
３９０  記憶部
【図１】
0005955650.tif 000002
【図２】
0005955650.tif 000003
【図３】
0005955650.tif 000004
【図４】
0005955650.tif 000005
【図５】
0005955650.tif 000006
【図６】
0005955650.tif 000007
【図７】
0005955650.tif 000008
【図８】
0005955650.tif 000009
【図９】
0005955650.tif 000010
【図１０】
0005955650.tif 000011
【図１１】
0005955650.tif 000012